(57)【特許請求の範囲】
【請求項１】
基部側から先端側に向けて凸状に湾曲する凸状刃部を有する切刃と、基部側から先端側に向けて凹状に湾曲する凹状刃部を有する受刃とが、支軸周りに回動可能に連結された枝切り鋏であって、
前記凹状刃部は、各部位における前記凸状刃部との間の最小距離が、基部側から先端側に向けて徐々に増加した後に狭窄部を経て減少するように形成され、
前記受刃に対して前記切刃を閉じる方向に回動させると、前記狭窄部が前記凹状刃部の基部側に向けて移動するように構成され、
前記凸状刃部および凹状刃部の先端側には、それぞれの湾曲方向と異なる方向に屈曲する補助刃部が形成されており、
前記受刃に対して前記切刃を閉じるときに、前記凸状刃部と前記補助刃部との変曲点である基部と、前記凹状刃部と前記補助刃部との変曲点である基部とが、互いに重なり合う枝切り鋏。
【請求項２】
前記受刃の刃部には、複数の刃溝が形成されている請求項１に記載の枝切り鋏。
【発明の詳細な説明】
【技術分野】
【０００１】
本発明は、枝切り鋏に関する。
【背景技術】
【０００２】
従来の枝切り鋏として、例えば特許文献１に開示された構成が知られている。図７に示すように、この枝切り鋏５０は、正面視凸状に湾曲する凸状刃部５２を有する切刃５１と、正面視凹状に湾曲する凹状刃部に沿って上刃５４および溝刃５５が形成された受刃５３とが、支点５６の周りに回動可能とされている。
【先行技術文献】
【特許文献】
【０００３】
【特許文献１】特開２００５−１０２６４９号公報
【発明の概要】
【発明が解決しようとする課題】
【０００４】
上記従来の枝切り鋏５０は、切刃５１と受刃５３との間に形成される間隙が、基部側から先端側に向けて徐々に拡がるように形成されているため、切刃５１と受刃５３との間に挟持した枝が太い場合に、枝が先端方向に逃げ易くなることから、枝の太さに拘わらず確実な切断を可能にする点で更に改良の余地があった。
【０００５】
そこで、本発明は、細い枝から太い枝まで容易且つ確実に切断することができる枝切り鋏の提供を目的とする。
【課題を解決するための手段】
【０００６】
本発明の前記目的は、基部側から先端側に向けて凸状に湾曲する凸状刃部を有する切刃と、基部側から先端側に向けて凹状に湾曲する凹状刃部を有する受刃とが、支軸周りに回動可能に連結された枝切り鋏であって、 前記凹状刃部は、各部位における前記凸状刃部との間の最小距離が、基部側から先端側に向けて徐々に増加した後に狭窄部を経て減少するように形成され、 前記受刃に対して前記切刃を閉じる方向に回動させると、前記狭窄部が前記凹状刃部の基部側に向けて移動するように構成され、前記凸状刃部および凹状刃部の先端側には、それぞれの湾曲方向と異なる方向に屈曲する補助刃部が形成されており、前記受刃に対して前記切刃を閉じるときに、前記凸状刃部と前記補助刃部との変曲点である基部と、前記凹状刃部と前記補助刃部との変曲点である基部とが、互いに重なり合う枝切り鋏により達成される。
【０００８】
また、前記受刃の刃部には、複数の刃溝が形成されていることが好ましい。
【発明の効果】
【０００９】
本発明によれば、細い枝から太い枝まで容易且つ確実に切断することができる枝切り鋏を提供することができる。
【図面の簡単な説明】
【００１０】
【図１】本発明の一実施形態に係る枝切り鋏の正面図である。
【図２】図１に示す枝切り鋏の作動状態の一例を示す正面図である。
【図３】図２のＡ−Ａ断面図である。
【図４】図１に示す枝切り鋏の作動状態の他の例を示す正面図である。
【図５】図４のＢ−Ｂ断面図である。
【図６】本発明の他の実施形態に係る枝切り鋏の正面図である。
【図７】従来の枝切り鋏の正面図である。
【発明を実施するための形態】
【００１１】
以下、本発明の実施の形態について、添付図面を参照して説明する。図１は、本発明の一実施形態に係る枝切り鋏の正面図である。図１に示すように、枝切り鋏１は、切刃１０および受刃２０が支軸３０の周りに回動可能に連結されている。切刃１０および受刃２０の支軸３０よりも基部側には、それぞれ把手１５，２５が設けられている。
【００１２】
把手１５，２５は、介在されたバネ部材３１により、切刃１０と受刃２０との間を開く方向に付勢されている。一方の把手２５の基端部には、他方の把手１５と係合して切刃１０および受刃２０を閉じた状態に維持することができるストッパ２６が、回動自在に設けられている。
【００１３】
切刃１０は、支軸３０側となる基部側から先端側に向けて凸状に湾曲する凸状刃部１１と、凸状刃部１１の湾曲方向と異なる方向に屈曲して形成された補助刃部１２とを備えている。補助刃部１２は、凸状刃部１１と連続するように凹状に屈曲して形成されており、凸状刃部１１と補助刃部１２との変曲点を基部１２ａとしている。凸状刃部１１および補助刃部１２は、片刃状に形成されており、正面側に研削面２３，２４が形成されている。
【００１４】
受刃２０は、切刃１０の正面側に配置されており、基部側から先端側に向けて凹状に湾曲する凹状刃部２１と、凹状刃部２１の湾曲方向と異なる方向に屈曲して形成された補助刃部２２とを備えている。補助刃部２２は、凹状刃部２１と連続するように凸状に屈曲して形成されており、凹状刃部２１と補助刃部２２との変曲点を基部２２ａとしている。凹状刃部２１と補助刃部２２も片刃状であり、裏面側に研削面が形成されている。受刃２０の補助刃部２２の長さは、切刃１０の補助刃部１２の長さと同程度であることが好ましい。
【００１５】
切刃１０の凸状刃部１１の形状は、基部側から直線状に立ち上がった後、円弧状に湾曲するように形成されている。一方、受刃２０の凹状刃部２１の形状は、基部側が円弧状に形成されており、先端側の湾曲が基部側の湾曲よりも緩やかとなるように形成されている。このような凸状刃部１１および凹状刃部２１の形状の組み合わせにより、凸状刃部１１と凹状刃部２１との間に形成される間隙は、図１に示すように切刃１０を受刃２０に対して大きく開いた状態で、基部側から先端側に向けて拡がり、受刃２０の先端近傍で若干狭まる。
【００１６】
より詳細には、凹状刃部２１の基部側から先端までの各部位において、凸状刃部１１との最小距離を測定したときに、測定部位を凹状刃部２１の基部側から先端側に向けて移動させるにつれて、最小距離が徐々に増加する。最小距離の増加の割合は、測定部位が凹状刃部２１の先端に近づくと徐々に低下し、ある部位を超えると、最小距離の変化は増加から減少に転じる。この部位を狭窄部Ｓと定義すると、凹状刃部２１は、各部位における凸状刃部１１との間の最小距離が、基部側から先端側に向けて徐々に増加した後に、狭窄部Ｓを経て減少する。
【００１７】
上記の構成を備える枝切り鋏１は、支軸３０に近い凸状刃部１１および凹状刃部２１の基部側で太枝などの被切断物４０を挟持することができるので、把手１５，２５を握ることにより、被切断物４０に大きなせん断力を作用させることができる。したがって、枝の太さに拘わらず容易に切断することができる。
【００１８】
図２に示すように、切断のため受刃２０に対して切刃１０を閉じる方向（矢示方向）に回動させると、切刃１０と受刃２０との間に形成される間隙の形状は徐々に変化し、狭窄部Ｓの位置は、凹状刃部２１の基部側に移動する。被切断物４０は、狭窄部Ｓを超えて先端側に逃げるおそれがないため、狭窄部Ｓの移動によって、凸状刃部１１および凹状刃部２１の基部側に被切断物４０を保持し続けることができ、図３に示す凸状刃部１１および凹状刃部２１間のせん断力によって、被切断物４０の切断を容易且つ確実に行うことができる。凹状刃部２１における狭窄部Ｓの移動は、被切断物４０の切断開始から切断終了までの間、基部側に向けて連続的に行われることが好ましい。
【００１９】
また、本実施形態の枝切り鋏１は、切刃１０および受刃２０がそれぞれ備える補助刃部１２，２２により、細い枝などを切断することができる。図２に示す状態から、図４に示すように受刃２０に対して切刃１０を更に閉じると、切刃１０および受刃２０が備える補助刃部１２，２２の基部１２ａ,２２ａが、正面視において互いに重なり合う。この状態から切刃１０を更に閉じると、補助刃部１２，２２は、基部１２ａ,２２ａおよび先端を揃えた状態で互いに直線的に接近し、挟持した被切断物４０’を、図５に示す補助刃部１２，２２間のせん断力によって切断することができる。
【００２０】
このような補助刃部１２，２２による剪定は、従来の枝切り鋏の先端部を利用した剪定とは異なり、被切断物４０’を補助刃部１２，２２間に確実に挟持できると共に、切断中における補助刃部１２，２２同士の相対的な動きが直線的なものとなるため、例えば、幹に細い枝が密集しているような場合でも、剪定作業を迅速容易に行うことができる。
【００２１】
以上、本発明の一実施形態について詳述したが、本発明の具体的な態様は上記実施形態に限定されない。例えば、図６に示すように、受刃２０の凹状刃部２１に沿って複数の刃溝２３を形成することで、凹状刃部２１における被切断物の保持をより確実にすることができる。
【００２２】
また、本実施形態の枝切り鋏は、片手刈込用に構成しているが、両手用の枝打ち鋏や、高所用の高枝切り鋏等として構成することもできる。
【符号の説明】
【００２３】
１  枝切り鋏
１０  切刃
１１  凸状刃部
１２  補助刃部
２０  受刃
２１  凹状刃部
２２  補助刃部
２３  刃溝
３０  支軸
Ｓ  狭窄部
【図１】
0006329928.tif 000002
【図２】
0006329928.tif 000003
【図３】
0006329928.tif 000004
【図４】
0006329928.tif 000005
【図５】
0006329928.tif 000006
【図６】
0006329928.tif 000007
【図７】
0006329928.tif 000008